(57)【要約】【課題】スキャン修正機能を備えたスキャナを提供する。【解決手段】本発明の修正機能を備えたシートフィードスキャナは、第１方向に書類を給送して書類をスキャンして書類画像を得るものである。シートフィードスキャナは、修正プレート、スキャナモジュール、及び伝動モジュールからなる。伝動モジュールはスキャナモジュールに接続され、第１方向に垂直な第２方向にスキャナモジュールを移動すると、スキャナモジュールがシートフィードスキャナの有限なスペース内で移動してダイナミック修正が行なえる。【選択図】図５
2013258668.tif 000002
【特許請求の範囲】
【請求項１】
書類を給送して前記書類を第１方向に移動させて前記書類の画像を読取るための修正機能を備えたシートフィードスキャナであって、前記修正機能を備えたシートフィードスキャナは、
前記書類を通過させるためのシートフィードチャネルと、
前記シートフィードチャネルに設置され、前記書類の第１面をスキャンして前記書類の第１面画像を得るためのスキャナモジュールと、
前記スキャナモジュールの上方に設置されて、前記スキャナモジュールが修正を行なうための修正プレートと、
前記スキャナモジュールに接続されて、前記スキャナモジュールが前記第１方向に垂直な第２方向に移動して修正を行うための伝動モジュールと、
から構成され、前記伝動モジュールは、
前記スキャナモジュールの第１側に設置され、回転して前記第２方向に前記スキャナモジュールを移動する駆動歯車と、
前記スキャナモジュールの第２側に設置され、前記スキャナモジュールに弾性力を供与して、前記スキャナモジュールが前記第２方向に反対の第３方向に移動して復位する弾性部材と、
を備えることを特徴とする修正機能を備えたシートフィードスキャナ。
【請求項２】
前記伝動モジュールは、前記駆動歯車と接触して前記スキャナモジュールと前記駆動歯車の間にあり、前記駆動歯車に駆動されて前記スキャナモジュールを駆動すると、前記スキャナモジュールが前記第２方向に移動するための接触ピンを更に備えることを特徴とする請求項１に記載の修正機能を備えたシートフィードスキャナ。
【請求項３】
前記伝動モジュールは、前記接触ピンに嵌設して前記スキャナモジュールと接触し、前記接触ピンを前記スキャナモジュールと前記駆動歯車の間に固定するための別の弾性部材を更に備えることを特徴とする請求項２に記載の修正機能を備えたシートフィードスキャナ。
【請求項４】
前記スキャナモジュールは、前記スキャナモジュールの前記第１側に設置されて前記駆動歯車と接触し、前記駆動歯車に駆動されて前記スキャナモジュールを移動すると、前記スキャナモジュールが前記第２方向に移動するための接触ピンを備えることを特徴とする請求項１に記載の修正機能を備えたシートフィードスキャナ。
【請求項５】
前記駆動歯車は、前記駆動歯車が回転すると前記接触ピンと接触して前記接触ピンを駆動する凸部構造を備え、前記凸部構造は前記駆動歯車と一体成型されることを特徴とする請求項１に記載の修正機能を備えたシートフィードスキャナ。
【請求項６】
動力を供与するための駆動部材と、
前記駆動部材と前記駆動歯車に接続されて前記動力を前記駆動歯車に伝送して前記駆動歯車を回転させるための伝動歯車セットと、
を更に備えることを特徴とする請求項１に記載の修正機能を備えたシートフィードスキャナ。
【請求項７】
前記シートフィードチャネルの下方にあり、前記書類の第２面をスキャンして前記書類の前記第２面画像を得るための別のスキャナモジュールと、
前記別のスキャナモジュールの上方にあり、前記別のスキャナモジュールが修正を行なうための別の修正プレートと、
を更に備え、前記別のスキャナモジュールは前記第１方向に移動して修正を行なうことを特徴とする請求項１に記載の修正機能を備えたシートフィードスキャナ。
【請求項８】
前記シートフィードチャネルの下方に設置されて前記シートフィードスキャナと共に両面スキャナを形成するプラットホームスキャナを更に備え、前記プラットホームスキャナは、
前記プラットホームスキャナの上表面にあるガラスプラットホームと、
前記プラットホームスキャナ内にあり、前記書類の第２面をスキャンして前記書類の前記第２面画像を得るための別のスキャナモジュールと、
前記別のスキャナモジュールの上方にあり、前記別のスキャナモジュールが修正を行なうための別の修正プレートと、
を備え、前記別のスキャナモジュールは前記第１方向に移動して修正を行なうことを特徴とする請求項１に記載の修正機能を備えたシートフィードスキャナ。
【請求項９】
書類を給送して前記書類を第１方向に移動させて前記書類の画像を読取るための修正機能を備えたシートフィードスキャナであって、前記修正機能を備えたシートフィードスキャナは、
前記書類を通過させるためのシートフィードチャネルと、
前記シートフィードチャネルに設置され、前記書類の第１面をスキャンして前記書類の第１面画像を得るためのスキャナモジュールと、
前記スキャナモジュールの上方に設置されて、前記スキャナモジュールが修正を行なうための修正プレートと、
前記修正プレートに接続されて、前記修正プレートが前記第１方向に垂直な第２方向に移動して修正を行うための伝動モジュールと、
から構成され、前記伝動モジュールはさらに、
前記修正プレートの第１側に設置され、回転して前記第２方向に前記修正プレートを移動する駆動歯車と、
前記修正プレートの第２側に設置され、前記修正プレートに弾性力を供与して、前記修正プレートが前記第２方向に反対の第３方向に移動して復位する弾性部材と、
を備えることを特徴とする修正機能を備えたシートフィードスキャナ。
【請求項１０】
前記伝動モジュールは、前記駆動歯車と接触して前記修正プレートと前記駆動歯車の間にあり、前記駆動歯車に駆動されて前記修正プレートを駆動すると、前記修正プレートが前記第２方向に移動するための接触ピンを更に備えることを特徴とする請求項９に記載の修正機能を備えたシートフィードスキャナ。
【請求項１１】
前記伝動モジュールは、前記接触ピンに嵌設して前記修正プレートと接触し、前記接触ピンを前記修正プレートと前記駆動歯車の間に固定するための別の弾性部材を更に備えることを特徴とする請求項１０に記載の修正機能を備えたシートフィードスキャナ。
【請求項１２】
前記修正プレートは、前記修正プレートの前記第１側に設置されて前記駆動歯車と接触し、前記駆動歯車に駆動されて前記修正プレートを移動すると、前記修正プレートが前記第２方向に移動するための接触ピンを備えることを特徴とする請求項９に記載の修正機能を備えたシートフィードスキャナ。
【請求項１３】
前記駆動歯車は、前記駆動歯車が回転すると前記接触ピンと接触して前記接触ピンを駆動する凸部構造を備え、前記凸部構造は前記駆動歯車と一体成型されることを特徴とする請求項９に記載の修正機能を備えたシートフィードスキャナ。
【請求項１４】
動力を供与するための駆動部材と、
前記駆動部材と前記駆動歯車に接続されて前記動力を前記駆動歯車に伝送して前記駆動歯車を回転させるための伝動歯車セットと、
を更に備えることを特徴とする請求項９に記載の修正機能を備えたシートフィードスキャナ。
【請求項１５】
前記シートフィードチャネルの下方にあり、前記書類の第２面をスキャンして前記書類の前記第２面画像を得るための別のスキャナモジュールと、
前記別のスキャナモジュールの上方にあり、前記別のスキャナモジュールが修正を行なうための別の修正プレートと、
を更に備え、前記別のスキャナモジュールは前記第１方向に移動して修正を行なうことを特徴とする請求項９に記載の修正機能を備えたシートフィードスキャナ。
【請求項１６】
前記シートフィードチャネルの下方に設置されて前記シートフィードスキャナと共に両面スキャナを形成するプラットホームスキャナを更に備え、前記プラットホームスキャナは、
前記プラットホームスキャナの上表面にあるガラスプラットホームと、
前記プラットホームスキャナ内にあり、前記書類の第２面をスキャンして前記書類の前記第２面画像を得るための別のスキャナモジュールと、
前記別のスキャナモジュールの上方にあり、前記別のスキャナモジュールが修正を行なうための別の修正プレートと、
を備え、前記別のスキャナモジュールは前記第１方向に移動して修正を行なうことを特徴とする請求項９に記載の修正機能を備えたシートフィードスキャナ。
【発明の詳細な説明】
【技術分野】
【０００１】
本発明は、スキャナに関し、より詳しくは、スキャン修正機能を備えたスキャナに関する。
【背景技術】
【０００２】
コンピュータシステムは最早各人の日常生活の一部となっており、コンピュータシステムと密接に関連するコンピュータの周辺機器もコンピュータシステムの研究開発に伴って発展しており、例として書類のスキャナは常用される周辺機器である。スキャナの主な機能は画像取得であり、ユーザが伝送、整理、保存するために、紙製書類の内容をスキャンにより電子ファイルに変換する。スキャナの技術が日増しに成熟するにつれて、スキャナも普及の一途を辿っている。
【０００３】
初期のスキャナは書類の画像を1枚しかスキャンできず、ユーザが重なった書類をスキャンしようとすると、スキャナが書類を1枚スキャンし終えた上で、スキャン済みの書類を取り出して、次の1枚の書類をスキャナに載置してスキャンを行なわねばならなかった。そこで、手動による書類の差替えが大変面倒であるのに鑑みて、市場ではオートシートフィーダを研究開発して、スキャナと組合わせてシートフィードスキャナとし、スキャン工程でユーザの手動による書類差替えの必要なくして、重なった書類のスキャン、ひいては書類の両面スキャンをも完了させることができるようになった。
【０００４】
一般的に、スキャナにおけるプラットホームスキャナ内部には修正プレートが設置されており、スキャン開始前に修正を行なって、光源、レンズ、及び光学センサ部材による誤差といった光学及び電子システムを修正するが、一般的な修正にはカラー修正、明度修正、及び比率修正等がある。
【０００５】
続いて、公知のプラットホームスキャナの修正状況を説明する。図１は公知のプラットホームスキャナ構造の概略図である。プラットホームスキャナ１はハウジング１０、ガラスプラットホーム１１、スキャナモジュール１２、伝動機構１３、及び接続部材１４で構成され、且つ、スキャナモジュール１２は修正プレート１２０、光源１２１、反射鏡１２２、レンズ１２３、及び光学センサ部材１２４で構成される。カラー修正を例にとると、修正プレート１２０は白色又は黒色でよく、標準の白色又は黒色の基準とする。図１では、修正プレート１２０は白色で、標準白色の基準とする。
【発明の概要】
【発明が解決しようとする課題】
【０００６】
然しながら、前述した従来の技術では、公知のプラットホームスキャナ１が書類（図示せず）にスキャンを開始するに先立ち、書類をガラスプラットホーム１１上に載置し、スキャナモジュール１２は接続部材１４と伝動機構１３で接続され、伝動機構１３が駆動されてスキャナモジュール１２を移動する。スキャナモジュール１２はガラスプラットホーム１１に沿って移動する。即ち、スキャナモジュール１２は移動方向Ｄに移動する。スキャナモジュール１２を修正プレート１２０の下方に移動する。このとき、光源１２１が光線Ｂを生じ、光線Ｂが修正プレート１２０に投射される。そして、光線Ｂが修正プレート１２０で反射されて、さらに反射鏡１２２で反射されると、光線Ｂはレンズ１２３を通過して収束される。最後に、収束された光線Ｂは光学センサ部材１２４によって受信され、光信号が電子信号に変換される。光源１２１は発光ダイオード(Light  Emitting  Diode、LED)で、光学センサ部材１２４は電荷結合素子(Charge  Coupled  Device、CCD)又は密着イメージセンサ(Contact  Image  Sensor、CIS)の採用が可能である。
【０００７】
従って、プラットホームスキャナ１は修正プレート１２０から提供された標準白のデジタル値を得て、標準白を白色の基準とすることができる。カラー修正が完了すると、プラットホームスキャナ１はガラスプラットホーム１１に載置された書類（図示せず）のスキャンを行ない、修正プレート１２０から提供された標準白を白色領域のスキャン基準とし、スキャンの画像に修正、補償を行なうことができる。
【０００８】
上記は公知のプラットホームスキャナの修正工程であるが、公知のプラットホームスキャナはオートシートフィーダで形成されたシートフィーダスキャナと組合せて、上記の修正工程により修正を行なうこともできる。一般的に、シートフィーダスキャナは両面スキャン機能を備えており、両面スキャン機能を備えたシートフィーダスキャナは両面スキャナと云われる。両面スキャナは２種類に分けられ、第１種両面スキャナは１組のみのスキャナモジュールを備えた両面スキャナで、第２種両面スキャナは２組のスキャナモジュールを備えたスキャナである。
【０００９】
図２は公知の第１種両面スキャナ構造の側面概略図である。公知の両面スキャナ２はプラットホームスキャナ２０とオートシートフィーダ２１からなり、プラットホームスキャナ２０はスキャナモジュール２０１とガラスプラットホーム２０２からなり、プラットホームスキャナ２０の構造は前述のプラットホームスキャナ１と概ね同様であるので、これ以上詳述しないこととする。オートシートフィーダ２１は、シート取込トレイ２１１、シート取出トレイ２１２、シートピックアップモジュール２１３、シートフィードチャネル２１４、複数のシートフィードロール２１５、切換部材２１６、反転領域２１７、反転チャネル２１８、及びシート取出ロールセット２１９で構成される。
【００１０】
公知の両面スキャナ２が両面スキャンを開始すると、オートシートフィーダ２１のシートピックアップモジュール２１３がシート取込トレイ２１１に載置された書類２２（書類２２の第１面２２１が上向き）をシートフィードチャネル２１４内に給送し、複数のシートフィードロール２１５が書類２２を給送して、スキャナモジュール２０１を通過させる。このうち、書類２２の第１面２２１はスキャナモジュール２０１に臨み、スキャナモジュール２０１が書類２２の第１面２２１の画像を読取って第１面画像が得られる。公知の両面スキャナ２が両面スキャンを行なう場合、スキャナモジュール２０１はガラスプラットホーム２０２に沿って移動しない。
【００１１】
そして、書類２２が複数のシートフィードロール２１５とシート取出ロールセット２１９によって給送されて反転領域２１７に進入する。切換部材２１６がスイングしてチャネルを開き、書類２２が反転領域２１７又はシート取出トレイ２１２に進入する。反転領域２１７では、書類２２は切換部材２１６のスイング及びシート取出ロールセット２１９の給送によって反転チャネル２１８に進入し、書類２２が反転チャネル２１８を通過し、書類２２の第２面２２２がスキャナモジュール２０１に臨むようしてスキャナモジュール２０１を通過させる。このとき、スキャナモジュール２０１は書類２２の第２面２２２の画像を読取り第２面の画像を得る。
【００１２】
書類２２の第２面２２２のスキャンが完了すると、書類２２は再度反転領域２１７に進入して、再度反転チャネル２１８に進入し、さらに再度その第１面２２１がスキャナモジュール２０１に臨むようにしてスキャン領域を通過する。このとき、スキャナモジュール２０１は第１面のスキャンを行わず、書類Ｓが切換部材２１６を通過しシート取出トレイ２１２に進入して、書類２２の両面スキャンが完了する。
【００１３】
第１種両面スキャナの内部は１組のスキャナモジュールしか設置されていないので、この種の両面スキャナのスキャン工程では、書類が３度給送されてスキャナモジュールを通過しないと１回の両面スキャン作業が完了しないため、第１種両面スキャナはスリーパス（Three-Pass）両面スキャナと云われる。
【００１４】
続いて、第２種両面スキャナの構造を説明する。図３は公知の第２種両面スキャナ構造の側面概略図である。公知の両面スキャナ３はプラットホームスキャナ３０とオートシートフィーダ３１からなり、オートシートフィーダ３１は、シート取込トレイ３１１、シート取出トレイ３１２、シートピックアップモジュール３１３、シートフィードチャネル３１４、複数のシートフィードロール３１５、第１スキャナモジュール３１６、及びシート取出ロールセット３１７で構成され、プラットホームスキャナ３０は第２スキャナモジュール３０１とガラスプラットホーム３０２からなる。
【００１５】
公知の両面スキャナ３がスキャンを開始すると、シート取込トレイ３１１に載置された書類３２（書類３２の第１面３２１は下向き）は、シートピックアップモジュール３１３によってシートフィードチャネル３１４内に給送され、複数のシートフィードロール３１５によって給送されてガラスプラットホーム３０２上のスキャナウィンドウ３０２１を通過し、第１スキャナモジュール３１６と第２スキャナモジュール３０１がスキャナウィンドウ３０２１により書類３２の画像をスキャンすることができる。第１スキャナモジュール３１６は書類３２の第１面３２１の画像をスキャンし、第２スキャナモジュール３０１は書類３２の第２面３２２の画像をスキャンする。書類３２がスキャナウィンドウ３０２１を完全に通過すると、両面の画像のスキャンが完了した旨表示され、複数のシートフィードロール３１５とシート取出ロールセット３１７が書類３２をシート取出トレイ３１２に給送して、書類３２の両面スキャンが完了する。
【００１６】
第２種両面スキャナの両面スキャン工程では、書類は１回だけ給送してスキャナモジュールを通過させればよいので、第２種両面スキャナはワンパス（One-Pass）両面スキャナと云われる。
【００１７】
スリーパス（Three-Pass）両面スキャナは上記の公知のプラットホームスキャナの修正工程によって修正を行なえる。然しながら、ワンパス（One-Pass）両面スキャナでは、プラットホームスキャナ内にある第２スキャナモジュールは上記の公知のプラットホームスキャナの修正工程によっても修正が行なえるが、オートシートフィーダ内にある第１スキャナモジュールは修正が行えない。その理由は次の通りである。オートシートフィーダ内部のスペースは有限であり、特に、両面スキャナの体積が次第に縮小して、ユーザの体積軽薄化のニーズを満たしている。よって、オートシートフィーダ内に第１スキャナモジュールを移動する伝動機構を設置できず、第１スキャナモジュールが移動して修正を行なうことができないことによりスキャンの品質が不安定となり、ひいてはスキャンの品質低下を招くこととなる。従って、スキャナモジュールに修正機能を備えたシートフィードスキャナ、及び２組のスキャナモジュールに修正機能を備えた両面スキャナが必要となる。
【００１８】
そこで、本発明者は上記の欠点が改善可能と考え、鋭意検討を重ねた結果、合理的設計で上記の課題を効果的に改善する本考案の提案に到った。
【００１９】
本発明は、このような従来の問題に鑑みてなされたものである。上記課題解決のため、本発明は、修正機能を備えたシートフィードスキャナを提供することを主目的とする。
【００２０】
また、２組のスキャナモジュールが共に修正機能を備えた両面スキャナを提供することを副次目的とする。
【課題を解決するための手段】
【００２１】
上記課題を解決し、目的を達成するために、本発明に係る修正機能を備えたシートフィードスキャナは、書類を給送して前記書類を第１方向に移動して前記書類の画像を読取るものであり、前記修正機能を備えたシートフィードスキャナは、
前記書類を通過させるためのシートフィードチャネルと、
前記シートフィードチャネルに設置され、前記書類の第１面をスキャンして前記書類の第１面画像を得るためのスキャナモジュールと、
前記スキャナモジュールの上方に設置されて、前記スキャナモジュールが修正を行なうための修正プレートと、
前記スキャナモジュールに接続されて、前記スキャナモジュールが前記第１方向に垂直な第２方向に移動して修正を行うための伝動モジュールと、
から構成され、前記伝動モジュールは、
前記スキャナモジュールの第１側に設置され、回転して前記第２方向に前記スキャナモジュールを移動する駆動歯車と、
前記スキャナモジュールの第２側に設置され、前記スキャナモジュールに弾性力を供与して、前記スキャナモジュールが前記第２方向に反対の第３方向に移動して復位する弾性部材と、
を備えることを特徴とする。
【００２２】
この好ましい実施形態では、前記伝動モジュールは、前記駆動歯車と接触して前記スキャナモジュールと前記駆動歯車の間にあり、前記駆動歯車に駆動されて前記スキャナモジュールを駆動すると、前記スキャナモジュールが前記第２方向に移動するための接触ピンを更に備えることを特徴とする。
【００２３】
この好ましい実施形態では、前記伝動モジュールは、前記接触ピンに嵌設して前記スキャナモジュールと接触し、前記接触ピンを前記スキャナモジュールと前記駆動歯車の間に固定するための別の弾性部材を更に備えることを特徴とする。
【００２４】
この好ましい実施形態では、前記スキャナモジュールは、前記スキャナモジュールの前記第１側に設置されて前記駆動歯車と接触し、前記駆動歯車に駆動されて前記スキャナモジュールを移動すると、前記スキャナモジュールが前記第２方向に移動するための接触ピンを備えることを特徴とする。
【００２５】
この好ましい実施形態では、前記駆動歯車は、前記駆動歯車が回転すると前記接触ピンと接触して前記接触ピンを駆動する凸部構造を備え、前記凸部構造は前記駆動歯車と一体成型されることを特徴とする。
【００２６】
この好ましい実施形態では、本発明に係る修正機能を備えたシートフィードスキャナは、
動力を供与するための駆動部材と、
前記駆動部材と前記駆動歯車に接続されて前記動力を前記駆動歯車に伝送して前記駆動歯車を回転させるための伝動歯車セットと、
を更に備えることを特徴とする。
【００２７】
この好ましい実施形態では、本発明に係る修正機能を備えたシートフィードスキャナは、
前記シートフィードチャネルの下方にあり、前記書類の第２面をスキャンして前記書類の前記第２面画像を得るための別のスキャナモジュールと、
前記別のスキャナモジュールの上方にあり、前記別のスキャナモジュールが修正を行なうための別の修正プレートと、
を更に備え、前記別のスキャナモジュールは前記第１方向に移動して修正を行なうことを特徴とする。
【００２８】
この好ましい実施形態では、本発明に係る修正機能を備えたシートフィードスキャナは、前記シートフィードチャネルの下方に設置されて前記シートフィードスキャナと共に両面スキャナを形成するプラットホームスキャナを更に備え、前記プラットホームスキャナは、
前記プラットホームスキャナの上表面にあるガラスプラットホームと、
前記プラットホームスキャナ内にあり、前記書類の第２面をスキャンして前記書類の前記第２面画像を得るための別のスキャナモジュールと、
前記別のスキャナモジュールの上方にあり、前記別のスキャナモジュールが修正を行なうための別の修正プレートと、
を備え、前記別のスキャナモジュールは前記第１方向に移動して修正を行なうことを特徴とする。
【００２９】
この好ましい実施形態では、本発明は、書類を給送して前記書類を第１方向に移動して前記書類の画像を読取るための修正機能を備えたシートフィードスキャナを更に提供し、前記修正機能を備えたシートフィードスキャナは、
前記書類を通過させるためのシートフィードチャネルと、
前記シートフィードチャネルに設置され、前記書類の第１面をスキャンして前記書類の第１面画像を得るためのスキャナモジュールと、
前記スキャナモジュールの上方に設置されて、前記スキャナモジュールが修正を行なうための修正プレートと、
前記修正プレートに接続されて、前記修正プレートが前記第１方向に垂直な第２方向に移動して修正を行うための伝動モジュールと、
から構成され、前記伝動モジュールはさらに、
前記修正プレートの第１側に設置され、回転して前記第２方向に前記修正プレートを移動する駆動歯車と、
前記修正プレートの第２側に設置され、前記修正プレートに弾性力を供与して、前記修正プレートが前記第２方向に反対の第３方向に移動して復位する弾性部材と、
を備えることを特徴とする。
【００３０】
この好ましい実施形態では、前記伝動モジュールは、前記駆動歯車と接触して前記修正プレートと前記駆動歯車の間にあり、前記駆動歯車に駆動されて前記修正プレートを駆動すると、前記修正プレートが前記第２方向に移動するための接触ピンを更に備えることを特徴とする。
【００３１】
この好ましい実施形態では、前記伝動モジュールは、前記接触ピンに嵌設して前記修正プレートと接触し、前記接触ピンを前記修正プレートと前記駆動歯車の間に固定するための別の弾性部材を更に備えることを特徴とする。
【００３２】
この好ましい実施形態では、前記修正プレートは、前記修正プレートの前記第１側に設置されて前記駆動歯車と接触し、前記駆動歯車に駆動されて前記修正プレートを移動すると、前記修正プレートが前記第２方向に移動するための接触ピンを備えることを特徴とする。
【００３３】
この好ましい実施形態では、前記駆動歯車は、前記駆動歯車が回転すると前記接触ピンと接触して前記接触ピンを駆動する凸部構造を備え、前記凸部構造は前記駆動歯車と一体成型されることを特徴とする。
【００３４】
この好ましい実施形態では、本発明に係る修正機能を備えたシートフィードスキャナは、
動力を供与するための駆動部材と、
前記駆動部材と前記駆動歯車に接続されて前記動力を前記駆動歯車に伝送して前記駆動歯車を回転させるための伝動歯車セットと、
を更に備えることを特徴とする。
【００３５】
この好ましい実施形態では、本発明に係る修正機能を備えたシートフィードスキャナは、
前記シートフィードチャネルの下方にあり、前記書類の第２面をスキャンして前記書類の前記第２面画像を得るための別のスキャナモジュールと、
前記別のスキャナモジュールの上方にあり、前記別のスキャナモジュールが修正を行なうための別の修正プレートと、
を更に備え、前記別のスキャナモジュールは前記第１方向に移動して修正を行なうことを特徴とする。
【００３６】
この好ましい実施形態では、本発明に係る修正機能を備えたシートフィードスキャナは、前記シートフィードチャネルの下方に設置されて前記シートフィードスキャナと共に両面スキャナを形成するプラットホームスキャナを更に備え、前記プラットホームスキャナは、
前記プラットホームスキャナの上表面にあるガラスプラットホームと、
前記プラットホームスキャナ内にあり、前記書類の第２面をスキャンして前記書類の前記第２面画像を得るための別のスキャナモジュールと、
前記別のスキャナモジュールの上方にあり、前記別のスキャナモジュールが修正を行なうための別の修正プレートと、
を備え、前記別のスキャナモジュールは前記第１方向に移動して修正を行なうことを特徴とする。
【発明の効果】
【００３７】
本発明によれば、修正機能を備えたシートフィードスキャナが得られる。
【図面の簡単な説明】
【００３８】
【図１】公知のプラットホームスキャナ構造の概略図である。
【図２】公知の第１種両面スキャナ構造の側面概略図である。
【図３】公知の第２種両面スキャナ構造の側面概略図である。
【図４】本発明に係る修正機能を備えたシートフィードスキャナの第１の好ましい実施形態における断面構造の側面概略図である。
【図５】本発明に係るシートフィードスキャナの第１スキャナモジュール及び伝動モジュールの第１の好ましい実施形態における構造の概略図である。
【図６】本発明に係るシートフィードスキャナの第１スキャナモジュールの第１の好ましい実施形態において第１位置にある構造の平面概略図である。
【図７】本発明に係るシートフィードスキャナの第１スキャナモジュールの第１の好ましい実施形態において第２位置にある構造の平面概略図である。
【図８】本発明に係る修正機能を備えたシートフィードスキャナの第２の好ましい実施形態における断面構造の側面概略図である。
【図９】本発明に係る両面スキャナの第１スキャナモジュール、修正プレート、及び伝動モジュールの第２の好ましい実施形態における構造の概略図である。
【図１０】本発明に係る修正機能を備えた両面スキャナの第３の好ましい実施形態における断面構造の側面概略図である。
【図１１】本発明に係る両面スキャナの第１スキャナモジュール、修正プレート、及び伝動モジュールの第３の好ましい実施形態における構造の概略図である。
【発明を実施するための形態】
【００３９】
以下に図面を参照して本発明を実施するための形態について、詳細に説明する。なお、本発明は、以下に説明する実施形態に限定されるものではない。
［第１実施形態］
まず、本発明の修正機能を備えたシートフィードスキャナの第１実施形態について説明する。図４は本発明に係る修正機能を備えたシートフィードスキャナの第１の好ましい実施形態における断面構造の側面概略図で、図５は本発明に係るシートフィードスキャナの第１スキャナモジュールと伝動モジュールの第１の好ましい実施形態における構造の概略図である。修正機能を備えたシートフィードスキャナ４は書類（図示せず）を給送して前記書類を第１方向Ｄ１に移動して書類の画像を読取るもので、シートフィードスキャナ４は、シート取込トレイ４１、シート取出トレイ４２、シートピックアップモジュール４３、シートフィードチャネル４４、複数のシートフィードロール４５、スキャナモジュール４６、シート取出ロールセット４７、修正プレート４８、伝動モジュール４９、駆動部材５０、及び伝動歯車セット５１で構成される。
【００４０】
図４では、シート取込トレイ４１はスキャン未済の書類を載置するもので、シート取出トレイ４２はシート取込トレイ４１の下方にあり、スキャン済みの書類を載置する。シートフィードチャネル４４はシートフィードスキャナ４内に設置されてシート取込トレイ４１とシート取出トレイ４２の間にあり、書類を通過させる。シートピックアップモジュール４３はシート取込トレイ４１とシートフィードチャネル４４の間に設置されて、書類を給送してシート取込トレイ４１からシートフィードチャネル４４内に進入させる。複数のシートフィードロール４５は書類を給送してシートフィードチャネル４４内を移動させるもので、スキャナモジュール４６はシートフィードチャネル４１に設置されて、書類の第１面をスキャンして前記書類の第１面画像を得る。シート取出ロールセット４７はシートフィードチャネル４４とシート取出トレイ４２の間に設置されて、スキャン済みの書類をシート取出トレイ４２に給送する。修正プレート４８はシートフィードチャネル４４とスキャナモジュール４６の上方に設置されて、前記スキャナモジュール４６が修正を行なう。書類のスキャン工程については、公知の技術で記述したとおりであることから、これ以上説明しないこととする。
【００４１】
図５は、伝動モジュール４９はスキャナモジュール４６に接続されて、スキャナモジュール４６が第１方向Ｄ１に垂直な第２方向Ｄ２に移動して修正を行なう。伝動モジュール４９は駆動歯車４９１、接触ピン４９２、第１弾性部材４９３、及び第２弾性部材４９４から構成される。駆動歯車４９１はスキャナモジュール４６の第１側に設置されて、回転して第２方向Ｄ２にスキャナモジュール４６を移動し、接触ピン４９２は駆動歯車４９１と接触してスキャナモジュール４６と駆動歯車４９１の間にあり、回転する駆動歯車４９１によって駆動されてスキャナモジュール４６を駆動することで、スキャナモジュール４６が第２方向Ｄ２に移動することができる。第１弾性部材４９３はスキャナモジュール４６の第２側に設置されてスキャナモジュール４６と接触し、第１弾性力をスキャナモジュール４６に供与すると、スキャナモジュール４６が第２方向Ｄ２に反対の第３方向Ｄ３に移動して復位する。第２弾性部材４９４は接触ピン４９２に嵌設してスキャナモジュール４６と接触し、接触ピン４９２をスキャナモジュール４６と駆動歯車４９１の間に固定する。
【００４２】
駆動歯車４９１は凸部構造４９１１を備え、駆動歯車４９１が回転すると、接触ピン４９２と接触して接触ピン４９２を駆動する。本好ましい実施形態では、凸部構造４９１１は駆動歯車４９１と一体成型で、第１弾性部材４９３と第２弾性部材４９４は共にコイルスプリングである。
【００４３】
シートフィードスキャナ４の駆動部材５０は動力を供与し、伝動歯車セット４６が駆動部材５０と駆動歯車４９１に接続されて、駆動部材５０からの動力を駆動歯車４９１に伝送し、駆動歯車４９１を回転させる。本好ましい実施形態では、駆動部材５０はモータである。
【００４４】
続いて、本発明に係るシートフィードスキャナ４のスキャナモジュール４６が修正を行なう作動状況を図５、図６を参照して説明する。図６は本発明に係るシートフィードスキャナのスキャナモジュールの第１の好ましい実施形態において第１位置にある構造の平面概略図である。本発明に係るシートフィードスキャナ４が書類のスキャンを開始するのに先立ち、スキャナモジュール４６が修正を開始する。スキャナモジュール４６が修正を開始しないとき、スキャナモジュール４６は図６のように第１位置Ｐ１にある。スキャナモジュール４６が修正を開始すると、駆動部材５０が駆動されて動力を供与し、これに接続する伝動歯車セット５１が回転して、前記動力が伝動歯車セット５１によって伝動モジュール４９の駆動歯車４９１に伝送されて、駆動歯車４９１が回転することができる。
【００４５】
駆動歯車４９１が回転すると、駆動歯車４９１の凸部構造４９１１が回転により移動し、凸部構造４９１１と接触ピン４９２が接触して接触ピン４９２を駆動するまで駆動歯車４９１が回転すると、接触ピン４９２は駆動されて第２方向Ｄ２に移動する。また、接触ピン４９２は第２方向Ｄ２にスキャナモジュール４６を駆動し、駆動されたスキャナモジュール４６が第２側にある第１弾性部材４９３を圧迫すると、第１弾性部材４９３が圧縮されて第１弾性力を蓄積する。このとき、スキャナモジュール４６は図７のように第２方向Ｄ２に沿って第２位置Ｐ２に移動する。
【００４６】
駆動歯車４９１が引続き回転して、凸部構造４９１１が接触ピン４９２と接触しなくなるまで回転すると、接触ピン４９２がスキャナモジュール４６のパワーを消失させて、圧縮された第１弾性部材４９３は圧縮解除の状態となり、第１弾性力がリリースされて、第１弾性力がスキャナモジュール４６に付与される。このため、スキャナモジュール４６は第１弾性力によって第３方向Ｄ３に移動して第１位置Ｐ１に戻る。スキャナモジュール４６の修正が完了すると、シートフィードスキャナ４は書類の給送並びにスキャンを開始するが、書類のスキャン工程はこれ以上詳述しないこととする。本好ましい実施形態では、スキャナモジュール４６が第１位置Ｐに駆動される工程において、修正プレート４８のスキャンに１度目の修正を行ない、また、スキャナモジュール４６が復位する工程で、再度修正プレート４８のスキャンに２度目の修正を行なう。
【００４７】
因みに、スキャナモジュール４６が移動工程で少なくとも２度の修正を行なう作業をダイナミック修正という。スキャナモジュール４６がダイナミック修正を行なう理由は、スキャナモジュール４６が移動せずに同じ位置でのみ修正を行なった場合、また、スキャナモジュール４６が毎回修正を行なう前記同じ位置に埃や汚れがあった場合、スキャナモジュール４６の修正作業がスキャンした埃や汚れを修正基準としてしまうため、スキャナモジュール４６の修正の精度に重大な誤差が発生するからである。従って、本発明に係るシートフィードスキャナ４のスキャナモジュール４６は移動可能に設定され、移動工程で少なくとも2度の修正（即ち、ダイナミック修正）を行なって、修正の精度を確保する。当然ながら、他の好ましい実施形態では、スキャナモジュールが駆動されない（即ち、第１位置）時、１度目の修正を行ない、スキャナモジュールが駆動される工程で２度目の修正を行なうことが可能である。
［第２実施形態］
次は、本発明の修正機能を備えたシートフィードスキャナの第２実施形態について説明する。
【００４８】
本発明に係る修正機能を備えたシートフィードスキャナは更に第２の好ましい実施形態を提供する。図８は、本発明に係る修正機能を備えたシートフィードスキャナの第２の好ましい実施形態における断面構造の側面概略図である。シートフィードスキャナ６はシート取込トレイ６１、シート取出トレイ６２、シートピックアップモジュール６３、シートフィードチャネル６４、複数のシートフィードロール６５、第１スキャナモジュール６６、シート取出ロールセット６７、第１修正プレート６８、伝動モジュール６９、駆動部材（図示せず）、伝動歯車セット（図示せず）、第２スキャナモジュール７０、及び第２修正プレート７１から構成される。このうち、シート取込トレイ６１、シート取出トレイ６２、シートピックアップモジュール６３、シートフィードチャネル６４、複数のシートフィードロール６５、シート取出ロールセット６７、駆動部材、及び伝動歯車セットの構造及び操作状況は、第１の好ましい実施形態と概ね同様であるので、これ以上説明しないこととする。
【００４９】
図８では、第２スキャナモジュール７０はシートフィードチャネル６４の下方にあり、書類（図示せず）の第２面をスキャンして前記書類の第２面画像を得るもので、第２修正プレート７１は第２スキャナモジュール７０の上方にあり、第２スキャナモジュール７０が修正を行ない、第２スキャナモジュール７０が第１方向Ｄ１’に移動して修正を行なう。第２スキャナモジュール７０が修正を行なう工程と公知のプラットホームスキャナ１とは概ね同様であるので、これ以上詳述しないこととする。シートフィードスキャナ６が両面スキャンを行なうとき、第２スキャナモジュール７０は第１方向Ｄ１’に移動せず、固定位置でスキャンを行なう。
【００５０】
図９は本発明に係るシートフィードスキャナの第１スキャナモジュール、修正プレート、及び伝動モジュールの第２の好ましい実施形態における構造概略図である。図９は本好ましい実施形態における第１スキャナモジュール６６、第１修正プレート６８、及び伝動モジュール６９のみを示している。図９では、第１修正プレート６８は第１スキャナモジュール６６の上方に設置され、伝動モジュール６９は第１修正プレート６８に接続されて、第１修正プレート６８を第１方向Ｄ１’に垂直な第２方向Ｄ２’に移動させて第１スキャナモジュール６６が修正を行なう。伝動モジュール６９は駆動歯車６９１、接触ピン６９２、第１弾性部材６９３、及び第２弾性部材６９４で構成される。駆動歯車６９１は第１修正プレート６８の第１側に設置されて、回転して第２方向Ｄ２’に第１修正プレート６８を移動し、また、駆動歯車６９１は凸部構造６９１１を備え、駆動歯車６９１が回転すると、接触ピン６９２と接触して接触ピン６９２を駆動する。本好ましい実施形態では、凸部構造６９１１は駆動歯車６９１と一体成型である。
【００５１】
接触ピン６９２は駆動歯車６９１と接触して第１修正プレート６８と駆動歯車６９１の間にあり、回転する駆動歯車６９１により駆動されて第１修正プレート６８を駆動することで、第１修正プレート６８は第２方向Ｄ２’に移動することができる。第１弾性部材６９３は第１修正プレート６８の第２側に設置されて第１修正プレート６８と接触し、第１弾性力を第１修正プレート６８に付与することで、第１修正プレート６８が第２方向Ｄ２’に反対の第３方向Ｄ３’に移動して復位する。第２弾性部材６９４は接触ピン６９２に嵌設して第１修正プレート６８と接触し、接触ピン６９２を第１修正プレート６８と駆動歯車６９１の間に固定する。
【００５２】
本好ましい実施形態では、第１スキャナモジュール６６の修正状況と前述の第１好ましい実施形態とは概ね同様であり、相違点は伝動モジュール６９が第１修正プレート６８に接続される点のみである。また、修正工程では、第１スキャナモジュール６６は静止して動かず、第１修正プレート６８は伝動モジュール６９によって第２方向Ｄ２’又は第３方向Ｄ３’に移動する。第１スキャナモジュール６６の修正工程では、第１修正プレート６８が駆動されない時に１度目の修正を行ない、駆動される工程で２度目の修正を行なうことができる。他の好ましい実施形態では、第１修正プレートが駆動される工程で１度目の修正を行ない、復位した時に２度目の修正を行なうことができる。
［第３実施形態］
次は、本発明の修正機能を備えた両面スキャナの第３実施形態について説明する。
【００５３】
図１０は本発明に係る修正機能を備えた両面スキャナの第３の好ましい実施形態における断面構造の側面概略図である。修正機能を備えた両面スキャナ８は書類（図示せず）の画像を読取るものであり、両面スキャナ８はプラットホームスキャナ８０とシートフィードスキャナ８１で構成される。プラットホームスキャナ８０は書類の第２面をスキャンして前記書類の第２面画像を得るもので、第２スキャナモジュール８０１、第２修正プレート８０２、及びガラスプラットホーム８０３で構成される。ガラスプラットホーム８０３はプラットホームスキャナ８０の上表面にあり、第２スキャナモジュール８０１はプラットホームスキャナ８０内にあり、書類の第２面をスキャンして第２面画像を得る。第２修正プレート８０２は第２スキャナモジュール８０１の上方にあり、第２スキャナモジュール８０１が修正を行なって、第１方向Ｄ１＊に移動して修正を行うが、第２スキャナモジュール８０１の修正工程は公知の技術で記述されていることから、これ以上説明しないこととする。
【００５４】
因みに、両面スキャナ８が両面スキャンを行なう場合、第２スキャナモジュール８０１は第１方向Ｄ１＊に移動せずに固定位置でスキャンを行なう。当然ながら、両面スキャナ８にはプラットホームスキャナ８０が設置されており、両面スキャナ８でも書類のスキャンを行なえるが、書類はガラスプラットホーム８０３に載置し、第２スキャナモジュール８０１が第１方向Ｄ１＊に移動してスキャンを行なう。
【００５５】
図１０では、シートフィードスキャナ８１はプラットホームスキャナ８０の上方に設置されて書類を給送するが、書類を第１方向Ｄ１＊に移動させシートフィードスキャナ８１内に進入させてスキャンを行なう。シートフィードスキャナ８１はシート取込トレイ８１１、シート取出トレイ８１２、シートピックアップモジュール８１３、シートフィードチャネル８１４、複数のシートフィードロール８１５、第１スキャナモジュール８１６、シート取出ロールセット８１７、第１修正プレート８１８、伝動モジュール８１９、駆動部材（図示せず）、及び伝動歯車セット（図示せず）で構成される。このうち、シート取込トレイ８１１、シート取出トレイ８１２、シートピックアップモジュール８１３、シートフィードチャネル８１４、複数のシートフィードロール８１５、シート取出ロールセット８１７、駆動部材、及び伝動歯車セットの構造と操作状況は、第１の好ましい実施形態と概ね同様であるので、これ以上説明しないこととする。
【００５６】
図１１は本発明に係る両面スキャナの第１スキャナモジュール、修正プレート、及び伝動モジュールの第３の好ましい実施形態における構造概略図である。図１１は本好ましい実施形態における第１スキャナモジュール８１６、第１修正プレート８１８、及び伝動モジュール８１９のみ表示している。図１１では、第１修正プレート８１８は第１スキャナモジュール８１６の上方に設置され、伝動モジュール８１９は第１修正プレート８１８に接続されて、第１修正プレート８１８が第１方向Ｄ１＊に垂直な第２方向Ｄ２＊に移動し、第１スキャナモジュール８１６が修正を行なう。伝動モジュール８１は駆動歯車８１９１と弾性部材８１９２で構成される。駆動歯車８１９１は第１修正プレート８１８の第１側に設置されて、回転して第２方向Ｄ２＊に第１修正プレート８１８を移動する。弾性部材８１９２は第１修正プレート８１８の１第２側に設置されて第１修正プレート８１８と接触し、弾性力を第１修正プレート８１８に付与すると、第１修正プレート８１８が第２方向Ｄ２＊に反対の第３方向Ｄ３＊に移動して復位する。
【００５７】
第１修正プレート８１８は、第１修正プレート８１８の第１側に設置されて駆動歯車８１９１と接触する接触ピン８１８１を備える。また、駆動歯車８１９１は、駆動歯車８１９１が回転する際に第１修正プレート８１８の接触ピン８１８１と接触して、接触ピン８１８１を駆動するための凸部構造８１９１Ａを備える。本好ましい実施形態では、凸部構造８１９１Ａは駆動歯車８１９１と一体成型である。
【００５８】
本好ましい実施形態では、第１スキャナモジュール８１６の修正状況は前述の第２の好ましい実施形態と概ね同様であり、相違点は接触ピン８１８１が第１修正プレート８１８に設置されるため、接触ピン８１８１には弾性部材を余分に設置して、接触ピン８１８１が第１修正プレート８１８と駆動歯車８１９１の間から脱落するのを確保するする必要がないことのみである。
［第４実施形態］
次は、本発明の修正機能を備えた両面スキャナの第４実施形態について説明する。
【００５９】
本発明の修正機能の両面スキャナはプラットホームスキャナとシートフィードスキャナからなり、プラットホームスキャナは第２スキャナモジュール、第２修正プレート、及びガラスプラットホームで構成される。シートフィードスキャナはシート取込トレイ、シート取出トレイ、シートピックアップモジュール、シートフィードチャネル、複数のシートフィードロール、第１スキャナモジュール、シート取出ロールセット、第１修正プレート、伝動モジュール、駆動部材、及び伝動歯車セットで構成され、その構造は前述の第３の好ましい実施形態と概ね同様で、接触ピンのない伝動モジュールを備え、また、第１スキャナモジュールは接触ピンを備える。その相違点は、伝動モジュールが第１スキャナモジュールに接続されて、第１スキャナモジュールが移動工程でダイナミック修正を行なうことが可能であることのみであり、その操作工程は前述の第１好ましい実施形態と全く同であるので、これ以上詳述しないこととする。
【００６０】
上記の各好ましい実施形態より次のことが分かる。本発明に係る修正機能を備えたシートフィードスキャナと両面スキャナはシートフィードスキャナ内の有限なスペースに伝動モジュールの設置が可能で、伝動モジュールでシートフィード方向に垂直な方向にスキャナモジュール若しくは修正プレートを移動すると、スキャナモジュール若しくは修正プレートは横方向に移動して、スキャナモジュールのダイナミック修正が行なえる。このため、本発明に係る修正機能を備えた両面スキャナは、体積の軽薄化を満たせたと同時に、シートフィードスキャナ内のスキャナモジュールの修正作業も行なって、スキャンの品質を確保することが可能となった。
【００６１】
以上、本発明はこのような実施形態に限定されるものではなく、発明の趣旨を逸脱しない範囲において、種々の形態で実施することができる。
【符号の説明】
【００６２】
１、２０、３０、８０  プラットホームスキャナ
２、３、８  両面スキャナ
４、６、８１  シートフィードスキャナ
１０  ハウジング
１１、２０２、３０２、８０３  ガラスプラットホーム
１２、４６、２０１  スキャナモジュール
１３  伝動機構
１４  接続部材
２１、３１  オートシートフィーダ
２２、３２  書類
４１、６１、２１１、３１１、８１１  シート取込トレイ
４２、６２、２１２、３１２、８１２  シート取出トレイ
４３、６３、２１３、３１３、８１３  シートピックアップモジュール
４４、６４、２１４、３１４、８１４  シートフィードチャネル
４５、６５、２１５、３１５、８１５  シートフィードロール
４７、６７、２１９、３１７、８１７  シート取出ロールセット
４８、１２０  修正プレート
４９、６９、８１９  伝動モジュール
５０  駆動部材
５１  伝動歯車セット
６６、３１６、８１６  第１スキャナモジュール
６８、８１８  第１修正プレート
７０、３０１、８０１  第２スキャナモジュール
７１、８０２  第２修正プレート
１２１  光源
１２２  反射鏡
１２３  レンズ
１２４  光学センサ部材
２１６  切換部材
２１７  反転領域
２１８  反転チャネル
２２１、３２１  書類の第１面
２２２、３２２  書類の第２面
４９１、６９１、８１９１  駆動歯車
４９２、６９２、８１８１  接触ピン
４９３、６９３  第１弾性部材
４９４、６９４  第２弾性部材
４９１１、６９１１、８１９１Ａ  凸部構造
８１９２  弾性部材
Ｂ  光線
Ｄ  移動方向
Ｄ１、Ｄ１’、Ｄ１＊  第１方向
Ｄ２、Ｄ２’、Ｄ２＊  第２方向
Ｄ３、Ｄ３’、Ｄ３＊  第３方向
Ｐ１  第１位置
Ｐ２  第２位置
【図１】
2013258668.tif 000003
【図２】
2013258668.tif 000004
【図３】
2013258668.tif 000005
【図４】
2013258668.tif 000006
【図５】
2013258668.tif 000007
【図６】
2013258668.tif 000008
【図７】
2013258668.tif 000009
【図８】
2013258668.tif 000010
【図９】
2013258668.tif 000011
【図１０】
2013258668.tif 000012
【図１１】
2013258668.tif 000013